Podtech/llm-jp-corpus-v4-ja_patent huggingface dataset:
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
培養培地と、第1のドナーから得られた骨髄由来間葉系幹細胞（BM-MSC）の第1のセットから単離された小型BM-MSCとを含む、細胞培養系であって、該単離された小型BM-MSCが単離の時点でSSEA-4を発現しており（SSEA-4＋）、該細胞培養系が、単離の時点でサイズが小さくなかったBM-MSCまたは単離の時点でSSEA-4を発現していなかったBM-MSCを含まず、該第1のドナーが、該BM-MSCの第1のセットが提供された時点で65歳以上であった、前記細胞培養系。
【請求項２】
前記単離された小型BM-MSCが、懸濁液中で測定した場合に30ミクロン未満の直径中央値を有する、請求項1記載の細胞培養系。
【請求項３】
第2のドナーから得られたBM-MSCの第2のセットに由来する細胞外マトリックス（ECM）をさらに含む、細胞培養系であって、好ましくは、該第2のドナーが25歳以下である、請求項1または2記載の細胞培養系。
【請求項４】
前記第1のドナーが、BM-MSCの量および/もしくは質が低下していた、かつ/または加齢に伴う変性疾患を有していた、かつ/または前記BM-MSCの第1のセットが提供された時点でBM-MSCの量もしくは質を損なう疾患もしくは状態を有していた、請求項1〜3のいずれか一項記載の細胞培養系。
【請求項５】
第1のドナーから得られた骨髄由来間葉系幹細胞（BM-MSC）の第1のセットから単離された小型BM-MSCを含む組成物であって、該単離された小型BM-MSCが、単離の時点でSSEA-4を発現しており（SSEA-4＋）、該組成物が、単離の時点でサイズが小さくなかったBM-MSCまたは単離の時点でSSEA-4を発現していなかったBM-MSCを含まず、該第1のドナーが、該BM-MSCの第1のセットが提供された時点で65歳以上であった、前記組成物。
【請求項６】
前記単離された小型BM-MSCが、懸濁液中で測定した場合に30ミクロン未満の直径中央値を有する、請求項5記載の組成物。
【請求項７】
担体をさらに含む、請求項5または6記載の組成物。
【請求項８】
前記単離された小型BM-MSCが、第2のドナーから得られたBM-MSCの第2のセットに由来するECM上で培養されたものであり、好ましくは、該第2のドナーが25歳以下である、請求項5〜7のいずれか一項記載の組成物。
【請求項９】
前記第1のドナーが、BM-MSCの量および/もしくは質が低下していた、かつ/または加齢に伴う変性疾患を有していた、かつ/または前記BM-MSCの第1のセットが提供された時点でBM-MSCの量もしくは質を損なう疾患もしくは状態を有していた、請求項5〜8のいずれか一項記載の組成物。
【請求項１０】
以下の工程を含む、対象への投与に適した小型BM-MSCを得る方法：
（a）第1のドナーからのBM-MSCの第1のセットを提供する工程、
（b）工程（a）からのBM-MSCを、サイズおよび任意でSSEA-4発現によって選別する工程、
（c）該小型BM-MSCを単離する工程、
（d）該小型BM-MSCを培養のためにプレーティングする工程、
（e）該小型BM-MSCを拡大培養する工程、ならびに
（f）任意で工程（e）からの該小型BM-MSCを保存する工程。
【請求項１１】
前記小型BM-MSCが、懸濁液中で測定した場合に30ミクロン未満の直径中央値を有する、請求項10記載の方法。
【請求項１２】
前記小型BM-MSCが、単離の時点でSSEA-4を発現している（SSEA-4＋）、請求項10または11記載の方法。
【請求項１３】
前記第1のドナーが50歳以上である、請求項10〜12のいずれか一項記載の方法。
【請求項１４】
前記小型BM-MSCが、TCP上で、または第2のドナーから得られたBM-MSCの第2のセットに由来する細胞外マトリックス（ECM）上で培養され、好ましくは、該第2のドナーが25歳以下である、請求項10〜13のいずれか一項記載の方法。
【請求項１５】
前記第1のドナーが、BM-MSCの量および/もしくは質が低下しており、かつ/または幹細胞療法を必要としており、かつ/または加齢に伴う変性疾患を有しており、かつ/またはBM-MSCの量もしくは質を損なう疾患もしくは状態を有しており、かつ/またはBM-MSCの量もしくは質を損なう治療を受けているもしくは今後受けることになっている、請求項10〜14のいずれか一項記載の方法。
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
以下の式で表される化合物、医薬的に許容される塩又はその立体異性体。
2018537413.tif 000001
ＸがＯまたはＳであり；
ＲA1が、水素およびＣ1-6アルキルからなる群から選択され；
Ｒ1は、−Ｃ（Ｏ）ＯＨ、ならびに５〜６員の単環式ヘテロアリールであってＯ、ＮおよびＳからなる群からそれぞれ選択される１つ、２つ、３つ、または４つのヘテロ原子を有する、前記ヘテロアリールからなる群から選択され；
前記ヘテロアリールは任意選択的に、ハロゲン、ヒドロキシル、およびＣ1-4アルキルからなる群からそれぞれ独立に選択される１つまたは２つの置換基で置換することが可能であり；
Ｒ2は、水素、ハロゲン、シアノ、Ｃ1-6アルキル、Ｃ1-6アルコキシ、およびＣ3-6シクロアルキルからなる群から選択され；
Ｙは、ＯまたはＳ（Ｏ）w（式中、ｗは０、１または２）であり；
Ｒ25およびＲ26はそれぞれ、水素およびＣ1-6アルキルからなる群から独立に選択され；
ｐは、０または１であり；且つ
Ｂは、それぞれ、Ｏ、Ｎ、およびＳからなる群から独立に選択される１つまたは２つのヘテロ原子を有する４〜１０員の単環式、架橋二環式、またはスピロ環式ヘテロ環であり；
前記ヘテロ環が、−ＮＨ残基を含有している場合、当該の窒素を任意選択的に、Ｃ1-6アルキル、−Ｃ（Ｏ）−Ｃ1-6アルキル、−Ｃ（Ｏ）−Ｏ−Ｃ1-6アルキル、および−Ｓ（Ｏ）w−Ｃ1-3アルキル（式中、ｗは０、１、または２）からなる群から選択される置換基で置換することが可能であり；且つ
前記ヘテロ環は任意選択的に、ヒドロキシル、Ｃ1-6アルキル、Ｃ1-6アルコキシ、およびオキソからそれぞれ独立に選択される１つ、２つ、３つ、または４つの置換基で置換することが可能である。
【請求項２】
ＸがＯである請求項１に記載の化合物。
【請求項３】
ＲA1がメチルである請求項１又は２に記載の化合物。
【請求項４】
Ｒ1が−Ｃ（Ｏ）ＯＨである請求項１〜３のいずれか一項に記載の化合物。
【請求項５】
ｐが１である請求項１〜４のいずれか一項に記載の化合物。
【請求項６】
以下の式で表される請求項１〜５のいずれか一項に記載の化合物。
2018537413.tif 000002
【請求項７】
ＹがＯである請求項１〜６のいずれか一項に記載の化合物。
【請求項８】
Ｒ2がＣ1-6アルキルである請求項１〜７のいずれか一項に記載の化合物。
【請求項９】
以下からなる群から選択される化合物、医薬的に許容される塩又はその立体異性体。
2018537413.tif 000003
2018537413.tif 000004
2018537413.tif 000005
2018537413.tif 000006
2018537413.tif 000007
2018537413.tif 000008
2018537413.tif 000009
2018537413.tif 000010
2018537413.tif 000011
2018537413.tif 000012
2018537413.tif 000013
2018537413.tif 000014
2018537413.tif 000015
2018537413.tif 000016
2018537413.tif 000017
2018537413.tif 000018
2018537413.tif 000019
2018537413.tif 000020
2018537413.tif 000021
2018537413.tif 000022
2018537413.tif 000023
2018537413.tif 000024
2018537413.tif 000025
2018537413.tif 000026
2018537413.tif 000027
2018537413.tif 000028
2018537413.tif 000029
2018537413.tif 000030
2018537413.tif 000031
2018537413.tif 000032
2018537413.tif 000033
2018537413.tif 000034
2018537413.tif 000035
2018537413.tif 000036
2018537413.tif 000037
2018537413.tif 000038
2018537413.tif 000039
2018537413.tif 000040
2018537413.tif 000041
【請求項１０】
請求項１〜９のいずれか一項に記載の化合物と、医薬的に許容される賦形剤とを含む医薬組成物。
【請求項１１】
前記組成物が少なくとも１つの追加的なＣＦＴＲ調節物質をさらに含む請求項１０に記載の医薬組成物。
【請求項１２】
前記組成物が２つ、３つ、４つまたはそれより多くの追加的なＣＦＴＲ調節物質をさらに含む請求項１１に記載の医薬組成物。
【請求項１３】
嚢胞性線維症の治療用の医薬組成物である請求項１０〜１２のいずれか一項に記載の医薬組成物。
【手続補正２】
【補正対象書類名】明細書
【補正対象項目名】発明の名称
【補正方法】変更
【補正の内容】
【発明の名称】化合物、医薬的に許容される塩又はその立体異性体及び医薬組成物
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ドライパウダー吸入器で使用するための吸入用粉末製剤の製造方法であって、前記粉末製剤が、
（Ａ）  担体であって、
（ａ）  少なくとも１７５μmの平均粒径を有する生理学的に許容し得る担体の粗粒子の画分；及び
（ｂ）  ９０〜９９．５重量パーセントの生理学的に許容し得る賦形剤の粒子と０．５〜１０重量パーセントの脂肪酸の塩との混合物からなる、微粒子の画分（ここで、前記全微粒子の少なくとも９０％は、１５ミクロン未満の体積直径を有する）
を含む、担体（ここで、前記微粒子対前記粗粒子の重量比は、５：９５〜３０：７０である）、並びに
（Ｂ）  活性成分として、抗ムスカリン作用薬、長時間作用型β２−アゴニスト、及び場合により吸入コルチコステロイドの微細化粒子
を含み、そして
前記製造方法が、
（ｉ）  前記担体、前記長時間作用性β２−アゴニスト、及び場合により前記吸入コルチコステロイドを、振盪混合機の容器中で１６rpm以上の回転速度で６０分以上の時間混合して、第１の混合物を得る工程；並びに
（ii）  前記抗ムスカリン作用薬を前記第１の混合物に加えて、第２の混合物を得て、そして前記第２の混合物を１６rpm以下の回転速度で４０分以下の時間混合する工程
を含む、製造方法。
【請求項２】
（iii）工程（ii）で得られた製剤を更に混合して、前記活性成分の均質な分布を達成する工程を更に含む、請求項１記載の製造方法。
【請求項３】
ＬＡＢＡが、ホルモテロール、サルメテロール、インダカテロール、オロダテロール、及びビランテロールからなる群より選択される、請求項１又は２記載の製造方法。
【請求項４】
抗ムスカリン作用薬が、臭化グリコピロニウム又は塩化グリコピロニウム、臭化チオトロピウム、臭化ウメクリジニウム、及び臭化アクリジニウムからなる群より選択される、請求項１〜３のいずれか一項記載の製造方法。
【請求項５】
ＩＣＳが、ジプロピオン酸ベクロメタゾン及びその一水和物、ブデソニド、プロピオン酸フルチカゾン、フランカルボン酸フルチカゾン、並びにフランカルボン酸モメタゾンからなる群より選択される、請求項１〜４のいずれか一項記載の製造方法。
【請求項６】
抗ムスカリン作用薬が臭化グリコピロニウムであり、ＩＣＳがジプロピオン酸ベクロメタゾンであり、ＬＡＢＡがフマル酸ホルモテロール二水和物である、請求項１又は２記載の製造方法。
【請求項７】
脂肪酸の塩が、ステアリン酸マグネシウム；フマル酸ステアリルナトリウム；ステアリル乳酸ナトリウム；ラウリル硫酸ナトリウム；及びラウリル硫酸マグネシウムからなる群より選択される、請求項１又は２記載の製造方法。
【請求項８】
脂肪酸の塩が、ステアリン酸マグネシウムである、請求項７記載の製造方法。
【請求項９】
工程ｉ）において、混合が、１６〜３２rpmで６０〜１２０分の間に含まれる時間行われる、前請求項のいずれか一項記載の製造方法。
【請求項１０】
工程ii）において、混合が、２０〜４０分の間に含まれる時間行われる、前請求項のいずれか一項記載の製造方法。
【請求項１１】
任意のドライパウダー吸入器で使用するための粉末製剤であって、
（Ａ）  担体であって、
（ａ）  少なくとも１７５μmの平均粒径を有する生理学的に許容し得る担体の粗粒子の画分；及び
（ｂ）  ９０〜９９．５重量パーセントの生理学的に許容し得る賦形剤の粒子と０．５〜１０重量パーセントのステアリン酸マグネシウムとの混合物からなる、微粒子の画分（ここで、前記全微粒子の少なくとも９０％は、１５ミクロン未満の体積直径を有する）
を含む、担体（ここで、前記微粒子対前記粗粒子の重量比は、５：９５〜３０：７０である）、並びに
（Ｂ）  活性成分として、臭化グリコピロニウム、フマル酸ホルモテロール二水和物、及び場合によりジプロピオン酸ベクロメタゾンの微細化粒子
を含み、そして
前記製剤が、
（ｉ）  前記担体、前記フマル酸ホルモテロール二水和物、及び場合により前記ジプロピオン酸ベクロメタゾンを、振盪混合機の容器中で１６rpm以上の回転速度で６０分以上の時間混合して、第１の混合物を得る工程；並びに
（ii）  前記臭化グリコピロニウムを前記第１の混合物に加えて、第２の混合物を得て、そして前記第２の混合物を１６rpm以下の回転速度で４０分以下の時間混合する工程
を含む製造方法により得られ；そして
そのために臭化グリコピロニウムの中間微粒子比率が２５％より高い、製剤。
【請求項１２】
前記製造方法が、（iii）工程（ii）で得られた製剤を更に混合して、前記活性成分の均質な分布を達成する工程を更に含む、請求項１１記載の粉末製剤。
【請求項１３】
中間微粒子比率が、２８〜４０％の間に含まれる、請求項１１又は１２記載の粉末製剤。
【請求項１４】
生理学的に許容し得る賦形剤が、α−ラクトース一水和物である、請求項１１〜１３のいずれか一項記載の粉末製剤。
【請求項１５】
粗粒子が、２１０〜３６０μmの間に含まれる質量直径を有する、請求項１１〜１４のいずれか一項記載の粉末製剤。
【請求項１６】
請求項１１〜１５のいずれか一項記載の乾燥粉末製剤を充填したドライパウダー吸入器。
【請求項１７】
炎症性及び／又は閉塞性気道疾患の予防及び／又は治療に使用するための請求項１１〜１５のいずれか一項記載の乾燥粉末製剤。
【請求項１８】
疾患が、喘息又は慢性閉塞性肺疾患（ＣＯＰＤ）である、請求項１７記載の乾燥粉末製剤。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
スチレン−イソプレン−スチレンブロックコポリマー（「ＳＩＳ」）および粘着剤を含む閉塞性ポリマーコーティング剤でコーティングされた伸縮可能なバッキング材を含む、経皮薬物送達システムのための伸縮可能な閉塞性バッキング層。
【請求項２】
伸縮可能なバッキング材が、伸縮可能な布材料である、請求項１に記載のバッキング層。
【請求項３】
粘着剤が、Ｃ５−Ｃ９水素化炭化水素樹脂（「ＨＨＲ」）を含む、請求項１に記載のバッキング層。
【請求項４】
閉塞性ポリマーコーティング剤が、閉塞性ポリマーコーティング剤の乾燥質量に対して、１０〜７０質量％のＨＨＲを含む、請求項３に記載のバッキング層。
【請求項５】
閉塞性ポリマーコーティング剤が、閉塞性ポリマーコーティング剤の乾燥質量に対して、１０〜９０質量％のＳＩＳを含む、請求項３に記載のバッキング層。
【請求項６】
閉塞性ポリマーコーティング剤のＳＩＳ対ＨＨＲの比が、約１０：９０から約９０：１０である、請求項３に記載のバッキング層。
【請求項７】
閉塞性ポリマーコーティング剤のＳＩＳ対ＨＨＲの比が、約２０：８０から約８０：２０である、請求項３に記載のバッキング層。
【請求項８】
閉塞性ポリマーコーティング剤が、ポリイソブチレンポリマーをさらに含む、請求項１に記載のバッキング層。
【請求項９】
ポリイソブチレンポリマーが、閉塞性ポリマーコーティング剤の最大２５質量％の量で存在する、請求項８に記載のバッキング層。
【請求項１０】
閉塞性ポリマーコーティング剤が、約１ｍｇ／ｃｍ2から約１５ｍｇ／ｃｍ2のコーティング質量で伸縮可能なバッキング材に適用される、請求項１に記載のバッキング層。
【請求項１１】
閉塞性ポリマーコーティング剤が、約３．５ｍｇ／ｃｍ2から約１１ｍｇ／ｃｍ2のコーティング質量で伸縮可能なバッキング材に適用される、請求項１に記載のバッキング層。
【請求項１２】
６６％の伸長まで伸縮後、約６０ｇ／ｍ2／日未満の水蒸気透過率を有する、請求項１に記載のバッキング層。
【請求項１３】
４０℃で６か月保管後、約１００ｇ／ｍ2／日未満の水蒸気透過率を有する、請求項１に記載のバッキング層。
【請求項１４】
請求項１に記載の伸縮可能な閉塞性バッキング層および薬物含有ポリマーマトリックスを含む、柔軟で有限なシステムの形態での経皮薬物送達システム。
【請求項１５】
薬物含有ポリマーマトリックスが、ＮＳＡＩＤを含む、請求項１４に記載の経皮薬物送達システム。
【請求項１６】
ＮＳＡＩＤが、フルルビプロフェンを含む、請求項１５に記載の経皮薬物送達システム。
【請求項１７】
２０％の伸長まで伸縮後または４０℃で６か月保管後、閉塞性を呈する伸縮可能な閉塞性バッキングを調製するための方法であって、伸縮可能なバッキング材に、スチレン−イソプレン−スチレンブロックコポリマー（「ＳＩＳ」）および粘着剤を含む閉塞性ポリマーコーティング剤を供給することを含む、方法。
【請求項１８】
それを必要とする対象への薬物の経皮送達での使用のための、請求項１４に記載の経皮薬物送達システム。
【請求項１９】
それを必要とする対象の疼痛または炎症の処置での使用のための、請求項１５に記載の経皮薬物送達システム。
【請求項２０】
疼痛または炎症を処置するための医薬の調製での、請求項１に記載のバッキング層の使用であって、医薬が、バッキング層およびＮＳＡＩＤを含む薬物含有ポリマーマトリックスを含む経皮薬物送達システムである、使用。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
栄養組成物であって、
炭水化物源；
タンパク質等価源；
脂肪または脂質源；
ラクトバチルス・ラムノーサスＧＧ；
約２２ｍｇ／１００ｋｃａｌ〜約２８０ｍｇ／１００ｋｃａｌの量の食品酪酸塩；および
ポリデキストロースおよびガラクトオリゴ糖を含む内因性酪酸塩の生産を刺激するための成分
を含む栄養組成物。
【請求項２】
タンパク質等価源の１％〜９９％が、配列番号４、配列番号１３、配列番号１７、配列番号２１、配列番号２４、配列番号３０、配列番号３１、配列番号３２、配列番号５１、配列番号５７、配列番号６０、および配列番号６３を含むペプチド成分を含み、タンパク質等価源の１％〜９９％が、部分的に加水分解されたタンパク質、広範囲に加水分解されたタンパク質、またはそれらの組み合わせを含む、請求項１に記載の栄養組成物。
【請求項３】
前記ペプチド成分が、Ｔａｂｌｅ１から選択される少なくとも１０個の追加のペプチドをさらに含み、前記ペプチド成分が約０．２ｇ／１００ｋｃａｌ〜約５．６ｇ／１００ｋｃａｌの量で存在する、請求項２に記載の栄養組成物。
【請求項４】
前記食品酪酸塩が、酪酸ナトリウムを含む、請求項１に記載の栄養組成物。
【請求項５】
前記栄養組成物が、乳由来の濃縮脂質画分によって提供される食物酪酸塩を含む、請求項１に記載の栄養組成物。
【請求項６】
前記乳由来の濃縮脂質画分が、乳脂肪球皮膜をさらに含む、請求項５に記載の栄養組成物。
【請求項７】
１つ以上の長鎖多価不飽和脂肪酸をさらに含む、請求項１に記載の栄養組成物。
【請求項８】
前記１つ以上の長鎖多価不飽和脂肪酸が、ドコサヘキサエン酸、アラキドン酸、およびそれらの組み合わせを含む、請求項７に記載の栄養組成物。
【請求項９】
β−グルカンを含むプレバイオティック（ｐｒｅｂｉｏｔｉｃ）をさらに含む、請求項１に記載の栄養組成物。
【請求項１０】
前記栄養組成物が乳児用フォーミュラである、請求項１に記載の栄養組成物。
【請求項１１】
１００ｋｃａｌあたり：
（ｉ）約６ｇ〜約２２ｇの炭水化物源；
（ｉｉ）約１ｇ〜約７ｇのタンパク質源；
（ｉｉｉ）約１ｇ〜約１０．３ｇの脂肪源；
（ｉｖ）約１×１０４ＣＦＵ〜約１．５×１０１２ＣＦＵのラクトバチルス・ラムノーサスＧＧ；
（ｖ）約２２ｍｇ〜２８０ｍｇの食品酪酸塩；および
（ｖｉ）ポリデキストロースおよびガラクトオリゴ糖を含む内因性酪酸塩の生産を刺激するための成分
を含む栄養組成物。
【請求項１２】
タンパク質等価源の１％〜９９％が、配列番号４、配列番号１３、配列番号１７、配列番号２１、配列番号２４、配列番号３０、配列番号３１、配列番号３２、配列番号５１、配列番号５７、配列番号６０、および配列番号６３を含むペプチド成分を含み、かつ、タンパク質等価源の１％〜９９％が、部分的に加水分解されたタンパク質、広範囲に加水分解されたタンパク質、またはそれらの組み合わせを含む、請求項１１に記載の栄養組成物。
【請求項１３】
１つ以上の長鎖多価不飽和脂肪酸をさらに含む、請求項１１に記載の栄養組成物。
【請求項１４】
小児対象における牛乳アレルギーに対する耐性を改善するための栄養組成物中の食品酪酸塩の使用であって、前記栄養組成物が、炭水化物源、タンパク質等価源、脂肪または脂質源、ラクトバチルス・ラムノーサスＧＧを含むプロバイオティック、約２２ｍｇ／１００ｋｃａｌ〜約２８０ｍｇ／１００ｋｃａｌの量の食品酪酸塩、およびポリデキストロースおよびガラクトオリゴ糖を含む内因性酪酸塩の生産を刺激するための成分
を含む使用。
【請求項１５】
前記栄養組成物が乳児用フォーミュラである、請求項１４に記載の使用。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
医薬品として、
(a)少なくとも1つのNSAID有効成分、および
(b)デヒドロアビエチン酸またはデヒドロアビエチン酸を含有する抽出物、
を含有する製剤。
【請求項２】
疼痛状態、炎症状態およびリウマチ性疾患を治療および／または予防するための医薬品として使用するための、
(a)少なくとも1つのNSAID有効成分、および
(b)デヒドロアビエチン酸またはデヒドロアビエチン酸を含有する抽出物、
を含む製剤。
【請求項３】
製剤が、アセチルサリチル酸誘導体、アリールプロピオン酸誘導体、アリール酢酸誘導体、インドール酢酸誘導体、アントラニル酸誘導体、オキシカムおよびそれらの混合物からなる群から選択されるNSAID有効成分を含む、請求項１または２に記載の製剤。
【請求項４】
製剤が、アセチルサリチル酸(アスピリン)、イブプロフェン、フルルビプロフェン、ナプロキセン、ケトプロフェン、チアプロフェン酸、ジクロフェナク、インドメタシン、フルフェナム酸、メフェナム酸、ピロキシカム、テノキシカム、メロキシカム、パラ - アセチルアミノフェノール(パラセタモール)およびそれらの混合物からなる群から選択されるNSAID有効成分を含む、請求項３に記載の製剤。
【請求項５】
製剤が、成分(c)として、少なくとも1つの甘味料を含む、請求項１〜４の少なくとも1つに記載の製剤。
【請求項６】
製剤が、サッカロース、トレハロース、ラクトース、マルトース、メリジトース、ラフィノース、パラチノース、ラクツロース、D-フルクトース、D-グルコース、D-ガラクトース、L-ラムノース、D-ソルボース、D-マンノース、D-タガトース、D-アラビノース、L-アラビノース、D-リボース、D-グリセルアルデヒドまたはマルトデキストリン、たとえば、サトウダイコン(テンサイ亜種、糖画分、砂糖シロップ、糖蜜)、サトウキビ(サトウキビ亜種、糖蜜、サトウキビシロップ)、メープルシロップ(カエデ亜種)またはリュウゼツラン(リュウゼツランシロップ)ベースのこれらの物質、果実濃縮物(たとえば、リンゴまたはナシベース)；エリスリトール、スレイトール、アラビトール、リボトール、キシリトール、ソルビトール、マンニトール、ズルシトール、ラクチトール、ミラクリン、モネリン、タウマチン、クルクリン、ブラゼイン、マガプ(magap)、シクラミン酸ナトリウム、アセスルファム-K、ネオヘスペリジンジヒドロカルコン、ナリンジンジヒドロカルコン、サッカリンナトリウム塩、アスパルテーム、スーパーアスパルテーム、ネオテーム、アリテーム、スクラロース、ステビオシド、レバウジオシド、ルグズナム、カレラーム(carrelame)、スクロノネート、スクロオクテート、モナチン、フェニロズルチン(phenylodulcin))、グリシン、D-ロイシン、D-スレオニン、D-アスパラギン、D-フェニルアラニン、D-トリプトファン、L-プロリン、ヘルナンズルチン、フィロズルチン、ジヒドロカルコングリコシド、グリセレチン酸(glycerrhetinic acid)およびその誘導体および塩、リコリス(甘草亜種)の抽出物、スイートハーブ・メキシカン抽出物、モモルディカ亜種抽出物、モグロシド、ルブス属の植物の抽出物、およびそれらの混合物を含有する植物系製剤からなる群から選択される甘味料を含む、請求項５に記載の製剤。
【請求項７】
製剤が、成分(d)として、少なくとも1つの担体を含む、請求項１〜６の少なくとも1つに記載の製剤。
【請求項８】
製剤が、デキストリン、セルロース、より詳細には微結晶セルロース、デンプンおよび修飾デンプン、キサンタンガムおよびそれらの混合物からなる群から選択される固体担体、あるいは、水、エタノール、グリセロールまたはエチレングリコールまたはそれらの混合物であってもよい液体担体のいずれかを含む、請求項７に記載の製剤。
【請求項９】
製剤が、固体または液体製剤として存在する、請求項１〜８の少なくとも1つに記載の製剤。
【請求項１０】
製剤が、ロゼンジ、チューインガムまたはカプセルとして存在する、請求項９に記載の製剤。
【請求項１１】
製剤が、シロップまたはスプレーとして存在する、請求項９に記載の製剤。
【請求項１２】
製剤が、
(a)約0.01〜約90重量％のNSAID有効成分；
(b)約0.001〜約5重量％のデヒドロアビエチン酸または対応する抽出物；
(c)0〜約15重量％の甘味料；
(d)0〜約95重量％の担体；
を含み、
ただし、必要に応じてさらなる添加剤およびアジュバントを含むすべての量が、合計で100重量％になる、請求項１〜１１の少なくとも1つに記載の製剤。
【請求項１３】
NSAID有効成分およびこれらの有効成分を含有する製剤の不快な味をマスキングする方法であって、有効成分が、デヒドロアビエチン酸またはデヒドロアビエチン酸を含有する抽出物と一緒に製剤され、次いで、経口投与される方法。
【請求項１４】
NSAID有効成分およびこれらの有効成分を含む製剤に起因する喉内および舌上における灼熱感を緩和および/または軽減するため、ならびに口の水分を増加させるための方法であって、有効成分が、デヒドロアビエチン酸またはデヒドロアビエチン酸を含有する抽出物と一緒に製剤され、次いで、経口投与される方法。
【請求項１５】
(i)NSAID有効成分および、場合により、さらなる製剤成分の苦味および/または金属味をマスキングする；
(ii)NSAID有効成分およびこれらの有効成分を含有する製剤の喉内および舌上における灼熱感を緩和または軽減する；
(iii)口の水分を増加させる；
(iv)NSAID有効成分を含有する製剤の芳香および甘味を強化する；
(v)NSAID有効成分を含む製剤の経口摂取中の粘膜適合性を改善する；
ためのデヒドロアビエチン酸、またはデヒドロアビエチン酸を含有する抽出物の使用。
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
電力をワイヤレスに送信するための装置であって、前記装置が、
複数のスロットを画定する形状を有する第１の金属シートと、
負荷を充電または電力供給するのに十分な磁場を生成するように構成されたコイルとを備え、前記第１の金属シートが前記コイルの幅および長さにわたって延び、前記複数のスロットが、前記磁場を介して前記第１の金属シート内に生成された渦電流を少なくとも部分的にキャンセルするように構成されていて、
前記複数のスロットが前記第１の金属シートの周辺から内向きに延び、前記複数のスロットのうちの第１のスロットと前記複数のスロットのうちの第２のスロットとが、前記第１のスロットの第１の側を第１の方向に流れる渦電流が前記第２のスロットの第２の側を前記第１の方向の反対の第２の方向に流れる渦電流によって少なくとも部分的にキャンセルされるように互いに平行に位置し、前記第２のスロットの第２の側が前記第１のスロットの第１の側に隣接していることを特徴とする装置。
【請求項２】
一つまたは複数のフェライト片をさらに備える請求項１に記載の装置。
【請求項３】
前記一つまたは複数のフェライトが、前記複数のスロットの上または中に位置する、請求項２に記載の装置。
【請求項４】
第２の金属シートをさらに備え、前記第１の金属シートが前記コイルの第１の側に位置し、前記第２の金属シートが前記コイルの第２の側に位置する、請求項１に記載の装置。
【請求項５】
前記第２の金属シートがフル金属シートを備える、請求項４に記載の装置。
【請求項６】
前記コイルが第１の平面に沿ったコイルループを備え、前記複数のスロットが、前記コイルループの少なくとも一部分と重なり、前記第１の平面に沿った前記コイルループに直角に構成されている、請求項１に記載の装置。
【請求項７】
前記第１の金属シートの第１の側に位置する誘電体シートをさらに備える請求項１に記載の装置。
【請求項８】
前記第１の金属シートが前記コイルの第１の側に位置する、請求項１に記載の装置。
【請求項９】
第３の金属シートをさらに備え、前記第３の金属シートが複数のスロットを備え、前記複数のスロットが前記第３の金属シートの周辺から延び、前記第１の金属シートが前記コイルの第１の側に位置し、前記第３の金属シートが前記コイルの第２の側に位置する、請求項１に記載の装置。
【請求項１０】
前記第１の金属シートが、金属または異物あるいは前記コイルの充電領域内に配置された表面から前記コイルをシールドするように構成されている、請求項１に記載の装置。
【請求項１１】
前記コイルを備える共振回路をさらに備える請求項１に記載の装置。
【請求項１２】
前記複数のスロットが、前記第１の金属シートの両側から水平方向内向きに延び、前記第１の金属シートの両側からのスロットのペアが、前記第１の金属シートの中心領域内で垂直方向に重なる、請求項１に記載の装置。
【請求項１３】
前記複数のスロットが、第１の方向に配向されたスロットの第１のグループと、前記第１の方向に直交する第２の方向に配向されたスロットの第２のグループとを含み、前記スロットの第１のグループが前記第１のスロットと前記第２のスロットとを含む、請求項１に記載の装置。
【請求項１４】
ワイヤレス電力トランスミッタをシールドする方法であって、
複数のスロットを備える第１の金属シートがコイルの幅および長さにわたって延びるように、前記第１の金属シートを前記コイルに対して設置することを含み、
前記コイルが、負荷を充電または電力供給するのに十分な磁場を生成するように構成され、
前記複数のスロットが、前記磁場を介して前記第１の金属シート内に生成された渦電流を少なくとも部分的にキャンセルするように構成され、
前記複数のスロットが前記第１の金属シートの周辺から内向きに延び、前記複数のスロットのうちの第１のスロットと前記複数のスロットのうちの第２のスロットとが、前記第１のスロットの第１の側を第１の方向に流れる渦電流が前記第２のスロットの第２の側を前記第１の方向の反対の第２の方向に流れる渦電流によって少なくとも部分的にキャンセルされるように互いに平行に位置し、前記第２のスロットの第２の側が前記第１のスロットの第１の側に隣接していることを特徴とする方法。
【請求項１５】
一つまたは複数のフェライト片を前記複数のスロットの上または中に設置することをさらに含む請求項１４に記載の方法。
【誤訳訂正書】
【提出日】令和1年11月14日(2019.11.14)
【誤訳訂正１】
【訂正対象書類名】明細書
【訂正対象項目名】００８５
【訂正方法】変更
【訂正の内容】
【００８５】
実施例
実施例１
人造黒鉛（粒径：２０μｍ）、Ｓｕｐｅｒ−Ｐ、カルボキシメチルセルロース、ＳＢＲを９５．８：１：１．２：２の重量比でＮ−メチルピロリドンと混合して第１負極合剤スラリー製造した。次に、上記負極スラリーを銅ホイル上にコーティングして薄い極板の形態にした後、１３５℃で３時間以上乾燥し、５ＭＰａの圧力で圧延して第１負極活物質を形成した。
【誤訳訂正２】
【訂正対象書類名】特許請求の範囲
【訂正対象項目名】全文
【訂正方法】変更
【訂正の内容】
【特許請求の範囲】
【請求項１】
電極集電体の一面または両面のそれぞれに二層の活物質層が塗布されている二次電池用電極であって、
電極集電体；前記電極集電体上に塗布されている第１活物質層；及び前記第１活物質層上に塗布されている第２活物質層；を含み、
前記第１活物質層に複数の丸い穴が形成され、前記丸い穴が第２活物質層で満たされていて、
前記第２活物質層に使用される活物質粒子の粒径が２〜３０μｍであり、
前記丸い穴が２〜６０μｍの直径を有し、
前記丸い穴が２〜６０μｍの深さを有し、
前記丸い穴が、前記第１活物質層で占める表面積の比率が１〜５０％である、二次電池用電極。
【請求項２】
請求項１に記載の二次電池用電極の製造方法であって、
（ｉ）第１活物質層を形成するための第１電極合剤スラリーを用意して、電極集電体に前記第１電極合剤スラリーをコーティングし乾燥する段階；
（ｉｉ）圧延して第１活物質層を形成する段階；
（ｉｉｉ）第１活物質層に丸い穴を形成する段階；
（ｖ）第２活物質層を形成するための第２電極合剤スラリーを用意して、前記第２電極合剤スラリーを第１活物質層にコーティングし乾燥する段階；及び
（ｖ）圧延する段階；を含む二次電池用電極の製造方法。
【請求項３】
前記第１活物質層の丸い穴がレーザーアブレーションによって形成されることを特徴とする請求項２に記載の二次電池用電極の製造方法。
【請求項４】
前記レーザーアブレーションのレーザーが、ＩＲレーザー、エキシマレーザー、ＹＡＧレーザーまたはＣＯ２レーザーであることを特徴とする請求項３に記載の二次電池用電極の製造方法。
【請求項５】
前記レーザーアブレーションのレーザーが、０．１〜２０Ｗの出力を有することを特徴とする請求項３に記載の二次電池用電極の製造方法。
【請求項６】
前記レーザーアブレーションが、２，５００ｍｍ／ｓ以下の速度で行われることを特徴とする請求項３に記載の二次電池用電極の製造方法。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
ヘテロ構造（５）を備えた、音響波デバイスのための複合構造（９）であって、前記ヘテロ構造（５）は、
第１の面（３）および第２の面（４）を有する圧電材料の有用層（２）であって、前記第１の面（３）は前記有用層（２）と比べて低い熱膨張係数を有する支持基板（１）上の、第１の接合界面に配置される、有用層（２）を含み、
前記複合構造（９）は、前記有用層（２）の前記第２の面（４）上の第２の接合界面に機能層（６）の面全体が配置され、前記有用層（２）と比べて低い熱膨張係数を有する、前記機能層（６）を備えることを特徴とする複合構造（９）。
【請求項２】
前記機能層（６）は、１０ミクロン以上の厚さを有する請求項１に記載の音響波デバイスのための複合構造（９）。
【請求項３】
前記有用層（２）は、タンタル酸リチウム（ＬｉＴａＯ3）、ニオブ酸リチウム（ＬｉＮｂＯ３）、窒化アルミニウム（ＡｌＮ）、亜鉛酸化物（ＺｎＯ）の群の中から選択される材料からなる請求項１または２に記載の音響波デバイスのための複合構造（９）。
【請求項４】
前記機能層（６）は、シリコン、ＩＩＩ−Ｖ族半導体、炭化珪素、ガラス、サファイアの群の中から選択される材料からなる請求項１乃至３のいずれか一項に記載の音響波デバイスのための複合構造（９）。
【請求項５】
前記支持基板（１）は、シリコン、ＩＩＩ−Ｖ族半導体、炭化珪素、ガラス、サファイアの群の中から選択される材料からなる請求項１乃至４のいずれか一項に記載の音響波デバイスのための複合構造（９）。
【請求項６】
前記機能層（６）は、前記支持基板（１）と同じ材料からなる請求項１乃至５のいずれか一項に記載の音響波デバイスのための複合構造（９）。
【請求項７】
前記ヘテロ構造（５）の前記有用層（２）と前記支持基板（１）との間の前記第１の接合界面の付着エネルギーは、１５００ｍＪ／ｍ2以上である請求項１乃至６のいずれか一項に記載の音響波デバイスのための複合構造（９）。
【請求項８】
前記機能層（６）と前記ヘテロ構造（５）との間の前記第２の接合界面の付着エネルギーは、前記第２の接合界面の分解を可能にするように、１０００ｍＪ／ｍ2未満である請求項１乃至７のいずれか一項に記載の音響波デバイスのための複合構造（９）。
【請求項９】
前記機能層（６）は、前記有用層（２）の前記第２の面（４）の少なくとも１つの第１の部分（１１）へのアクセスを可能にする、少なくとも１つの第１の局所的開口（１０）を備え、前記有用層（２）の前記第２の面（４）の前記第１の部分（１１）は音響波デバイス、具体的にはＳＡＷデバイスを形成する金属要素（１２）を備える請求項１乃至７のいずれか一項に記載の音響波デバイスのための複合構造（９）。
【請求項１０】
・前記機能層（２）は、前記有用層（２）の前記第２の面（４）の少なくとも１つの第１の部分（１１）へのアクセスを可能にする、少なくとも１つの第１の局所的開口（１０）を備え、
・前記支持基板（１）は、前記第１の局所的開口（１０）と少なくとも部分的に対向し、前記有用層（２）の前記第１の面（３）の少なくとも１つの第２の部分（１７）へのアクセスを可能にする、少なくとも１つの第２の局所的開口（１６）を備え、
・前記有用層（２）の前記第２の面（４）および前記第１の面（３）の、それぞれ前記第１の部分（１１）および前記第２の部分（１７）は音響波デバイス、具体的にはＢＡＷデバイスを形成する金属要素（１２、１８）を備える
請求項１乃至７のいずれか一項に記載の音響波デバイスのための複合構造（９）。
【請求項１１】
前記機能層（６）および／または前記支持基板（１）は、前記有用層上に配置された金属要素（１２、１８）に電気的に接続された、金属コンタクト（１３）および／または電子デバイス（１４）を備える請求項９または１０に記載の音響波デバイスのための複合構造（９）。
【請求項１２】
第１の面（３）および第２の面（４）を有する圧電材料でできた有用層（２）を備えたヘテロ構造（５）を提供するステップを含む、音響波デバイスのための複合構造（９）を製造する方法であって、前記第１の面（３）は前記有用層（２）と比べて低い熱膨張係数を有する支持基板（１）上の、第１の接合界面に配置され、前記方法は、
・機能層（６）の表面全体と前記有用層（２）の前記第２の面（４）との間に第２の接合界面を形成して、複合構造（９）を形成する組み立てステップであって、前記機能層（６）は前記有用層（２）と比べて低い熱膨張係数を有する、ステップと、
・機能層（６）がない場合に、それより高いと前記ヘテロ構造（５）が劣化または破損する限界温度と比べて、高い温度で複合構造（９）に熱処理が適用されるステップと
を含むことを特徴とする方法。
【請求項１３】
前記組み立てステップは、１０ミクロン以上の機能層（６）の厚さを達成するために、前記熱処理ステップの前に行われる、前記機能層（６）の厚さを調整するステップを含む請求項１２に記載の音響波デバイスのための複合構造（９）を製造する方法。
【請求項１４】
前記熱処理ステップの温度は２５０℃以上、より具体的には２５０℃と６００℃の間に含まれる請求項１３に記載の音響波デバイスのための複合構造（９）を製造する方法。
【請求項１５】
前記熱処理ステップの後に、前記機能層（９）と前記有用層（２）との間の前記第２の接合界面のレベルにおける分解を通じて、前記機能層（６）が除去されるステップを含む請求項１２乃至１４のいずれか一項に記載の音響波デバイスのための複合構造（９）を製造する方法。
【請求項１６】
前記分解は、前記複合構造（９）の前記第２の接合界面において、機械的応力を印加することによって行われる請求項１５に記載の音響波デバイスのための複合構造（９）を製造する方法。
【請求項１７】
前記機能層（９）を局所的に除去して、前記有用層（２）の前記第２の面（４）の第１の部分（１１）へのアクセスを可能にするステップと、前記第１の部分（１１）上に金属要素（１２）を備えた音響波デバイスを作製するステップとを含む請求項１２乃至１４のいずれか一項に記載の音響波デバイスのための複合構造（９）を製造する方法。
【請求項１８】
前記支持基板（１）を局所的に除去して、前記有用層（２）の前記第１の面（３）の第２の部分（１７）へのアクセスを可能にするステップと、前記第２の部分（１７）上に金属要素（１８）を備えた音響波デバイスを作製するステップとをさらに含む請求項１７に記載の音響波デバイスのための複合構造（９）を製造する方法。
【請求項１９】
前記機能層（６）上および／または前記支持基板（１）上に構成要素（１４）を作製するステップ、および／または前記有用層（２）上に配置された金属要素（１２、１８）と、前記機能層（６）上および／または前記支持基板（１）上に配置された金属コンタクト（１３、２０）との間の電気的接続のステップをさらに含む請求項１７または１８に記載の音響波デバイスのための複合構造（９）を製造する方法。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
ポータブルコンピューティングデバイスにおけるモデム管理のための方法であって、
デバイス温度の低下、モデムが最大告知速度で動作している時間の割合の最大化、前記モデムの平均データスループットの最大化、バッテリー寿命の最大化、および持続時間の間における前記モデムの速度遷移を最小限に抑えることのうちの2つ以上を含む複数のパフォーマンスインジケータから選択された前記ポータブルコンピューティングデバイスのためのキーパフォーマンスインジケータの入力を受信するステップと、
前記受信されたキーパフォーマンスインジケータに基づいて、複数のキャリア帯域幅のアグリゲーションのために動作可能なモデムのためのモデム管理および制御方式を決定するステップと、
前記モデム管理および制御方式を実施するステップであって、前記モデム管理および制御方式を実施するステップが、前記キーパフォーマンスインジケータが所望のレベルであるように、モデムパフォーマンスレベルを調整するために前記モデムとアグリゲートするキャリア帯域幅の数を選択するステップを含む、ステップと
を含む方法。
【請求項２】
前記キーパフォーマンスインジケータの前記入力が、前記ポータブルコンピューティングデバイスのユーザによる手動入力である、請求項1に記載の方法。
【請求項３】
前記キーパフォーマンスインジケータの前記入力が、システムステータス情報に基づいて決定される自動入力である、請求項1に記載の方法。
【請求項４】
前記システムステータス情報が、電流漏洩、動作電圧、モデムパフォーマンスモード、データレートレベル、アクティブな使用事例、実行中のアプリケーション、ディスプレイ構成要素のオン/オフステータス、バッテリー容量、温度センサー読取値、チャネル帯域使用量、および送信信号強度のうちの1つまたは複数を含む、請求項3に記載の方法。
【請求項５】
モデムパフォーマンスレベルが、モデムデータ転送レートによって定義される、請求項1に記載の方法。
【請求項６】
前記モデムとアグリゲートするキャリア帯域幅の数を選択するステップが、
第1の時間期間の間に前記モデムとアグリゲートする第1の数のキャリア帯域幅を選択するステップと、
第2の時間期間の間に前記モデムとアグリゲートする第2の数のキャリア帯域幅を選択するステップと
をさらに含む、請求項1に記載の方法。
【請求項７】
ポータブルコンピューティングデバイスにおけるモデム管理のためのコンピュータシステムであって、
デバイス温度の低下、モデムが最大告知速度で動作している時間の割合の最大化、前記モデムの平均データスループットの最大化、バッテリー寿命の最大化、および持続時間の間における前記モデムの速度遷移を最小限に抑えることのうちの2つ以上を含む複数のパフォーマンスインジケータから選択された前記ポータブルコンピューティングデバイスのためのキーパフォーマンスインジケータの入力を受信するための手段と、
前記受信されたキーパフォーマンスインジケータに基づいて、モデムのためのモデム管理および制御方式を決定するための手段であって、前記モデムが複数のキャリア帯域幅のアグリゲーションのために動作可能である、手段と、
前記モデム管理および制御方式を実施するための手段であって、前記モデム管理および制御方式を実施することが、前記キーパフォーマンスインジケータが所望のレベルであるように、モデムパフォーマンスレベルを調整するために前記モデムとアグリゲートするキャリア帯域幅の数を選択することを含む、手段と
を備えるコンピュータシステム。
【請求項８】
前記キーパフォーマンスインジケータの入力を受信するための手段と、前記モデム管理および制御方式を決定するための手段と、前記モデム管理および制御方式を実施するための手段とが、
デバイス温度の低下、モデムが前記最大告知速度で動作している時間の割合の最大化、前記モデムの平均データスループットの最大化、バッテリー寿命の最大化、および前記持続時間の間における前記モデムの速度遷移を最小限に抑えることのうちの2つ以上を含む前記複数のパフォーマンスインジケータから選択された前記ポータブルコンピューティングデバイスのための前記キーパフォーマンスインジケータの前記入力を受信することと、
前記受信されたキーパフォーマンスインジケータに基づいて、複数のキャリア帯域幅のアグリゲーションのために動作可能な前記モデムのための前記モデム管理および制御方式を決定することと、
前記モデム管理および制御方式を実施することであって、前記モデム管理および制御方式を実施することが、前記キーパフォーマンスインジケータが前記所望のレベルであるように、前記モデムパフォーマンスレベルを調整するために前記モデムとアグリゲートする前記キャリア帯域幅の数を選択することを含む、ことと
をするためのモデム管理および制御方式を備える、請求項7に記載のコンピュータシステム。
【請求項９】
前記キーパフォーマンスインジケータの前記入力が、前記ポータブルコンピューティングデバイスのユーザによる手動入力である、請求項8に記載のコンピュータシステム。
【請求項１０】
前記キーパフォーマンスインジケータの前記入力が、システムステータス情報に基づいて決定される自動入力である、請求項8に記載のコンピュータシステム。
【請求項１１】
前記システムステータス情報が、電流漏洩、動作電圧、モデムパフォーマンスモード、データレートレベル、アクティブな使用事例、実行中のアプリケーション、ディスプレイ構成要素のオン/オフステータス、バッテリー容量、温度センサー読取値、チャネル帯域使用量、および送信信号強度のうちの1つまたは複数を含む、請求項10に記載のコンピュータシステム。
【請求項１２】
モデムパフォーマンスレベルが、モデムデータ転送レートによって定義される、請求項8に記載のコンピュータシステム。
【請求項１３】
前記モデムとアグリゲートするキャリア帯域幅の数を選択することが、
第1の時間期間の間に前記モデムとアグリゲートする第1の数のキャリア帯域幅を選択することと、
第2の時間期間の間に前記モデムとアグリゲートする第2の数のキャリア帯域幅を選択することと
をさらに含む、請求項8に記載のコンピュータシステム。
【請求項１４】
前記ポータブルコンピューティングデバイスが、ワイヤレス電話の形態である、請求項8に記載のコンピュータシステム。
【請求項１５】
コンピュータ可読プログラムコードを記憶するコンピュータ可読記憶媒体であって、前記コンピュータ可読プログラムコードが、コンピュータによって実行されると、請求項1から6のいずれか一項に記載の方法を行う、コンピュータ可読記憶媒体。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
円筒状ソケットスリーブ（２）を備える電気プラグコネクタソケット（１）であって、ソケットスリーブ（２）に収容空間（２０）が形成され、収容空間（２０）内には、平行に延びる多数のコンタクトラメラ（３１）を有する円筒状ラメラケージ（３）が挿入されており、ラメラケージ（３）は、第１および第２の端部側の周方向の環状ウェブ（３２ａ，３２ｂ）を有し、コンタクトラメラ（３１）は、前記２つの環状ウェブ間に延びている電気プラグコネクタソケット（１）において、ラメラケージ（３）は、好ましくは、２つのカラーウェブ（３２ａ，３２ｂ）上に窓状凹部（３５）を有し、かつ、ソケットスリーブ（２）の内側面に複数の凸部（２５）が、スタンピング加工によって形成されており、前記凸部は、窓状凹部（３５）内へと達しており、好ましくは、ラメラケージ（３）とソケットスリーブ（２）の間に圧入結合部が形成されるようになされていることを特徴とする、電気プラグコネクタソケット。
【請求項２】
２つ以上の窓状凹部または開口部（３５）が第１および第２の環状ウェブ（３２ａ，３２ｂ）上において、それぞれの環状ウェブ（３２ａ，３２ｂ）の縁部（３３ａ，３３ｂ）に配置されており、各凹部の端部は、それぞれの縁部（３３ａ，３３ｂ）に向けて開口しており、好ましくは、端部側歯状部分が形づくられまたは形成されている、請求項１に記載の電気プラグコネクタソケット（１）。
【請求項３】
それぞれ軸方向（Ａ）に見て長さＬを有する２つ以上の窓状凹部または開口部（３５）が、第１および第２の環状ウェブ（３２ａ，３２ｂ）に形成されており、それぞれソケットスリーブ（２）の内壁（２３）に形成され、かつ実質的に同一の長さＬ’を有する複数の凸部（２５）が前記凹部または開口部内に係合しており、これにより環状ウェブ（３２ａ）の軸方向の移動が防止されていることを特徴とする、請求項１または２に記載の電気プラグコネクタソケット（１）。
【請求項４】
軸方向（Ａ）を横切る方向に見て幅Ｂを有する窓状凹部（３５）が、第１および第２の環状ウェブ（３２ａ，３２ｂ）に設けられており、ソケットスリーブ（２）の内壁（２３）に設けられ、かつ同一またはほぼ同一の幅Ｂ’を有する複数の凸部（２５）が前記凹部に係合することにより、それぞれの環状ウェブの回転が防止されていることを特徴とする、請求項１〜３のうちのいずれか１つに記載の電気プラグコネクタソケット（１）。
【請求項５】
締結手段（２５）が、ソケットスリーブ（２）のケーシング内のスタンプ部分として、ソケットスリーブ（２）に形成されており、ソケットスリーブ（２）の外側アーモンド部（外殻部）（２４）（Aussenmandel，英語：outer almond）にくぼみ（２６）が形成されており、突出する凸部（２５）は、ソケットスリーブ（２）の内側面（２３）に形成されていることを特徴とする、請求項２〜４のいずれか１つに記載の電気プラグコネクタソケット（１）。
【請求項６】
締結手段（２５）は、２つの対向する長手方向側縁（２７）および２つの対向する横方向側縁（２８）を有する実質的に略立方体状の凸部の形状をなしていることを特徴とする、請求項２、４〜５のいずれか１つに記載の電気プラグコネクタソケット（１）。
【請求項７】
ラメラケージ（３）は、軸方向（Ａ）に見て中間の中央部分の直径が、環状ウェブ（３２ａ，３２ｂ）の直径より小さく、好ましくは、一方の環状ウェブ（３２ａ）が他方の環状ウェブ（３２ｂ）に対してねじられたことによって成形されることを特徴とする、請求項１〜６のいずれか１つに記載の電気プラグコネクタソケット（１）。
【請求項８】
請求項１〜７のいずれか１つに記載の電気プラグコネクタソケット（１）の製造方法であって、以下の方法工程を備える、製造方法：
ａ．  ２つの端部側環状ウェブ（３２ａ，３２ｂ）と、前記２つの環状ウェブ間に延びる多数の平行なコンタクトラメラ（３１）とを有するコンタクトラメラグリッド（３）を作成する工程；
ｂ．  コンタクトラメラグリッド（３）の２つの環状ウェブ（３２ａ，３２ｂ）において、端部側に開口する２つ以上の窓状開口部（３５）を形成し、かつ、コンタクトラメラグリッド（３）を円筒状ラメラケージ（３）に変形させる工程；
ｃ．  収容空間（２０）を有するソケットスリーブ（２）を用意し、収容空間（２０）にラメラケージ（３）を挿入する工程；
ｄ．  好ましくは第１の環状ウェブ（３２ａ）の凹部（３５）に対応するようにスタンピングすることによって、収容空間（２０）内に突出する凸部（２５）をソケットスリーブ（２）の内側面（２３）に設け、これにより対応する凸部（２５）を窓状開口部（３５）に係合させて、一方のカラーウェブ（３２ａ）を固定する工程；および
ｅ．  好ましくは第２の環状ウェブ（３２ａ）の凹部（３５）に対応するようにスタンピングすることによって、収容空間（２０）内に突出する凸部（２５）をソケットスリーブ（２）の内側面（２３）に設け、これより、対応する凸部（２５）を第２の環状ウェブ（３２ａ）の窓状開口部（３５）に係合させて、前記環状ウェブを固定する工程。
【請求項９】
工程ｄ）と工程ｅ）の間に、第１の環状ウェブ（３２ａ）に対して、第２の環状ウェブ（３２ｂ）のねじり、または回転を行うことを特徴とする、請求項８に記載の方法。